(57)【要約】【課題】  可撓性基材上に配置されている有機ＥＬディスプレイが折れたり曲がったりすることを防ぐ。【解決手段】  可撓性基材上に配置されている有機ＥＬディスプレイを保持するためのケースを設ける。【選択図】  図１
2006133487.tif 000002
【特許請求の範囲】
【請求項１】
可撓性基材に配置されている有機ＥＬディスプレイと、
前記有機ＥＬディスプレイを保持するためのケースとを有し、
前記有機ＥＬディスプレイは前記ケースに保持されているページであることを特徴とする有機ＥＬディスプレイ。
【請求項２】
前記ケースは前記有機ＥＬディスプレイを広げた状態で表示面に対向して収容できる面を有することを特徴とする請求項１に記載の有機ＥＬディスプレイ。
【請求項３】
前記ケースは前記面の法線方向に収容空間を形成する壁を更に有することを特徴とする請求項２に記載の有機ＥＬディスプレイ。
【請求項４】
前記ケースとは別のケースを更に有し、前記有機ＥＬディスプレイは前記ケースと前記別のケースとの間に収容されていることを特徴とする請求項１に記載の有機ＥＬディスプレイ。
【請求項５】
前記有機ＥＬディスプレイの一辺が前記ケースに前記保持されていることを特徴とする請求項１に記載の有機ＥＬディスプレイ。
【請求項６】
前記ケースとは別のケースを更に有し、前記有機ＥＬディスプレイの一辺が前記ケースと前記別のケースとを回動可能に接続する回動部において前記保持されていることを特徴とする請求項１に記載の有機ＥＬディスプレイ。
【請求項７】
前記有機ＥＬディスプレイは前記可撓性基材の両面でそれぞれ個別の画像を表示するディスプレイであることを特徴とする請求項１に記載の有機ＥＬディスプレイ。
【請求項８】
前記有機ＥＬディスプレイを複数ページとして複数枚有していることを特徴とする請求項１に記載の有機ＥＬディスプレイ。
【発明の詳細な説明】
【技術分野】
【０００１】
本発明は可撓性基材に配置されている有機ＥＬディスプレイにかかわる。
【背景技術】
【０００２】
有機ＥＬ素子を可撓性基材上に設けることが知られている。特許文献１は図２０に電子ペーパーとして有機ＥＬ素子を用いることが図示されている。
【０００３】
【特許文献１】特開２００４−０８８０９４公報  図２０
【発明の開示】
【発明が解決しようとする課題】
【０００４】
このように有機ＥＬ素子を可撓性の基材に設けることが知られているものの、可撓性基材を用いるが故に使用時に有機ＥＬ素子の表示面が折れたり曲がったりする。
【０００５】
本発明はこのような表示面が折れることを防止した有機ＥＬディスプレイを提供することを目的とする。
【課題を解決するための手段】
【０００６】
よって本発明は、
可撓性基材に配置されている有機ＥＬディスプレイと、
前記有機ＥＬディスプレイを保持するためのケースとを有し、
前記有機ＥＬディスプレイは前記ケースに保持されているページであることを特徴とする有機ＥＬディスプレイを提供する。
【発明の効果】
【０００７】
本発明により、有機ＥＬディスプレイがケースに保持されるので表示させない場合に有機ＥＬディスプレイが折れたり曲がったりすることを防ぐことが出来る。そして有機ＥＬディスプレイが折れたり曲がったりしないので有機ＥＬディスプレイを長期にわたり本のページをめくる感覚で利用することが出来る。
【発明を実施するための最良の形態】
【０００８】
本実施の形態に係る有機ＥＬディスプレイを図１を挙げて説明する。
【０００９】
はじめに符号の説明をする。１は可撓性基材、２はケース、３はケース及び可撓性基材の一辺部、４は回動部、１１は別の可撓性基材、１２は別のケースである。
【００１０】
本実施の形態に係る有機ＥＬディスプレイは、ケースに保持されている。その結果表示させない場合に有機ＥＬディスプレイが折れたり曲がったりすることを防ぐことが出来る。そして有機ＥＬディスプレイが折れたり曲がったりしないので有機ＥＬディスプレイを長期にわたり本のページをめくる感覚で利用することが出来る。
【００１１】
可撓性基材１の表示面には有機ＥＬ素子が複数配置されており、画像を表示することが出来る。更に動画を表示させることも出来る。表示にはアクティブマトリクス駆動あるいはパッシブマトリクス駆動の何れを採用しても良い。アクティブマトリクス駆動を採用する場合、有機ＥＬ素子の発光非発光を制御する回路の１要素であるトランジスタの半導体部に有機化合物を用いてもよく、その場合可撓性基材の可撓性を損なわない。もちろん可撓性を損なわない程度に半導体部としてＳｉ等の無機材料を用いても良い。
【００１２】
可撓性基材１に形成されている有機ＥＬディスプレイは可撓性基材１の一辺がケース２に保持されている。そのため有機ＥＬディスプレイを本のページのようにめくることが出来る。
【００１３】
可撓性基材１に形成されている有機ＥＬディスプレイはフルカラー画像表示可能なディスプレイである。
【００１４】
可撓性基材１に形成されている有機ＥＬディスプレイの画素回路以外の制御回路やあるいは電源の少なくとも何れか一方は、可撓性基材１上に形成されていても良い。あるいはケース２に配置されていてもよいがその場合フレキシブルケーブル等により有機ＥＬディスプレイと接続されていればよい。
【００１５】
ケース２は有機ＥＬディスプレイに対向するように面を有している。この面は有機ＥＬディスプレイを広げた状態の表示面と同一輪郭あるいはそれより大きい輪郭である。このため有機ＥＬが表示しない場合に折れたり曲がったりすることを防ぐことが出来る。
【００１６】
ケース２は図示のように面の外周に壁を有していてもよい。壁は面の法線方向に配置されている。つまり壁と面により有機ＥＬディスプレイを収容する肉厚の空間を有する。そのため有機ＥＬが表示しない場合に折れたり曲がったりすることをさらに防ぐことが出来る。
【００１７】
ケース２は有機ＥＬディスプレイを保護できる強度内で、その面に開口が設けられていても良い。その場合開口は有機ＥＬディスプレイの発光状態あるいは画像を見ることができる。
【００１８】
本図ではこの有機ＥＬディスプレイが表示領域Ａ、Ｂ、Ｃ、Ｄと複数の領域に分割して表示している状態を示している。これは図示しない制御手段により面内で表示領域を適宜選択して表示している状態を示す。制御手段は可撓性基材１上に配置されていても良い。あるいは可撓性基材１がケース２に保持されている保持領域あるいはケース面内に配置されていてもよい。
【００１９】
また有機ＥＬディスプレイは可撓性基材１の両面にそれぞれ配置されていても良い。その場合ページをめくれば裏面の画像を見ることが出来る。両面の画像はそれぞれ別の画像でもよい。あるいは同一の画像でもよい。その場合表裏面のそれぞれの画像が鏡像関係にある画像でも良い。
【００２０】
また複数枚の可撓性基材１がケース２に設けられていても良い。その場合複数枚の可撓性基材１ごとに有機ＥＬディスプレイが設けられる。本図では別の有機ＥＬディスプレイを有する可撓性基材１１を示している。可撓性基材１１も可撓性基材１と同様に同一方向の一辺にてケースに保持されても良い。その場合複数のページを有する本のように複数の有機ＥＬディスプレイをめくりながら画像を見ることが出来る。
【００２１】
また図示のように別のケース１２を更に有していても良い。その結果ケース１の面だけでは保護できない有機ＥＬディスプレイの反対側の面を保護することが出来る。
【００２２】
別のケース１２はケース２と同一形状でもよく、より具体的には両方とも壁を有し肉厚の収容空間を有するケース、あるいは肉厚の収容空間を有さない板状のケースであってもよい。また一方が壁を有し肉厚の収容空間を有するケース、そして他方が肉厚の収容空間を有さない板状のケースであってもよい。
【００２３】
ケース２と別のケース１２とは回動可能に接続されていても良い。本図では回動部４を前記一辺の一部として図示しているが、もちろん前記一辺の全範囲を回動部４としてもよい。接続にはテープ状のフレキシブルな部材やちょうつがいのような構造体を用いても良い。
【図面の簡単な説明】
【００２４】
【図１】本実施形態に係る有機ＥＬディスプレイを示す模式図である。
【符号の説明】
【００２５】
１  可撓性基材
２  ケース
３  ケース及び可撓性基材の一辺部
４  回動部
１１  別の可撓性基材
１２  別のケース
【図１】
2006133487.tif 000003